(57)【要約】      （修正有）【課題】使いやすく、同時に異なるタイプのデータインタフェースと互換性があり、様々な携帯電話等の電子装置のインタフェースと直接係合する両面兼用コネクタを提供する。【解決手段】両面兼用コネクタは端子部材１とハウジング２を含む。端子部材は、分離して設置されて異なるデータインタフェースのタイプに適応する第１の端子部材１１と第２の端子部材１２を含み、異なるタイプのデータインタフェースの接続をそれぞれ実現する。ハウジングは、端子部材の外部に緊合して嵌着され、端子部材を係止する。【選択図】図３
0003207127.tif 000002
【実用新案登録請求の範囲】
【請求項１】
端子部材とハウジングを含む両面兼用コネクタであって、
前記端子部材は、分離して設置されて異なるデータインタフェースのタイプに適応する第１の端子と第２の端子を含み、第１の端子と第２の端子により異なるタイプのデータインタフェースの接続をそれぞれ実現し、
前記ハウジングは、端子部材の外部に緊合して嵌着され、端子部材を係止することを特徴とする両面兼用コネクタ。
【請求項２】
前記コネクタは、前記端子部材の後部に固定され、端子部材とハウジングとを一体化するように固定して接続する後部ベースをさらに含み、且つ端子部材の後端は後部ベースの後部から延出することを特徴とする、請求項１に記載の両面兼用コネクタ。
【請求項３】
前記コネクタは、端子部材に挿着され、移動を防止するために端子部材によって前記後部ベースを係止する弾性係止部材をさらに含み、且つ前記弾性係止部材の前部が端子部材とハウジングの側面から外へ延出することを特徴とする、請求項１又は２に記載の両面兼用コネクタ。
【請求項４】
前記後部ベースに前後に貫通する貫通溝が設けられ、前記貫通溝の形状は端子部材後部の形状と一致して嵌合し、
前記ハウジングの前端は端子部材の前端と位置合わせし、又は端子部材の前端はハウジングの前端をわずかに超過し、ハウジングは前記端子部材の前部と後部ベースとの間に当接し、又は後部ベースが前記ハウジング、端子部材を一体化するように固定して接続することを特徴とする、請求項３に記載の両面兼用コネクタ。
【請求項５】
前記貫通溝の内壁、端子部材の後部に係止溝と係止ヘッドがそれぞれ設けられ、前記係止溝と係止ヘッドが係着した後に前記後部ベースと端子部材との間での離脱を制限することを特徴とする、請求項４に記載の両面兼用コネクタ。
【請求項６】
前記弾性係止部材の中部又は後部に押圧弾性シートが設けられ、前記押圧弾性シートは、弾性係止部材の後向きの動きを防止するために、後部ベースに設置された受圧溝に押圧することを特徴とする、請求項３に記載の両面兼用コネクタ。
【請求項７】
前記ハウジング又は／及び端子部材にコネクタ嵌合の脱落を防止するための脱落防止機構が設けられていることを特徴とする、請求項１に記載の両面兼用コネクタ。
【請求項８】
前記第１の端子はＬｉｇｈｔｎｉｎｇデータインタフェース端子であり、第２の端子はＭｉｃｒｏ−ＵＳＢインタフェース端子であり、前記端子部材は２つの側面からＬｉｇｈｔｎｉｎｇデータインタフェース、Ｍｉｃｒｏ−ＵＳＢインタフェースの接続をそれぞれ実現し、
前記後部ベースは前記端子部材の後部に係着して両方の固定接続を実現し、前記ハウジングは、ハウジングの縦方向に沿う動きを防止するために、端子部材の前端と後部ベースとの間に挟持され、
前記弾性係止部材は、端子部材の後部から前方へ端子部材に挿着し、ハウジングにその横方向の動きが制限され、前記弾性係止部材の前端の弾性係止ヘッドはＭｉｃｒｏ−ＵＳＢインタフェースの片側の端子部材から外へ延出し、前記弾性係止部材は、その縦方向の動きを防止するために、縦方向において端子部材と前記後部ベースとの間で係止することを特徴とする、請求項３に記載の両面兼用コネクタ。
【請求項９】
前記端子部材は、Ｌｉｇｈｔｎｉｎｇデータインタフェースを有する第１の端子部材、Ｍｉｃｒｏ−ＵＳＢインタフェースを有する第２の端子部材を含み、第１の端子部材と第２の端子部材は積み重ね、且つ凹凸係合により両方の前後と左右の係止を実現することを特徴とする、請求項８に記載の両面兼用コネクタ。
【請求項１０】
前記第２の端子部材に収容溝が設けられ、前記第１の端子部材が収容溝に嵌合され、前記収容溝の後部に開口を有し、前記第１の端子部材の後部が収容溝の開口部から後方へ延出し、前記収容溝の両側の壁面に位置決め溝がそれぞれ設けられ、対応する第１の端子部材の両側に位置決め部材が設けられ、前記位置決め部材が位置決め溝に挿入して第１の端子部材の縦方向の動きを制限することを特徴とする、請求項９に記載の両面兼用コネクタ。
【請求項１１】
前記弾性係止部材は間隔をおいて平行に設置された２つの弾性係止ヘッドを含み、２つの弾性係止ヘッドの後部は係止部材ベースにより一体化され、対応する前記第２の端子部材に係止部材溝がそれぞれ開設され、前記弾性係止ヘッドが前記係止部材溝に収容され、且つ弾性係止ヘッドの前端は係止部材溝とハウジングが対応して開設されたインタフェースから外へ延出することを特徴とする、請求項３に記載の両面兼用コネクタ。
【請求項１２】
前記後部ベースに貫通溝が設けられ、貫通溝の内壁面にストッパー溝が開設され、前記端子部材の前端にストッパーが設けられ、前記ハウジングの前端がストッパーに受圧し、ハウジングの後端がストッパー部材により前記ストッパー溝内に押圧することを特徴とする、請求項８に記載の両面兼用コネクタ。
【請求項１３】
前記端子部材はさらに胴型を含み、前記第１の端子、第２の端子が胴型により固定して分離し、それぞれ独立して端子の接続を実現し、前記第１の端子の前端接続部、第２の端子の前端接続部はいずれも胴型の前部に設置されていることを特徴とする、請求項３に記載の両面兼用コネクタ。
【請求項１４】
前記胴型は第１の端子を固定するための第１の胴型及び第２の端子を固定するための第２の胴型を含み、第１の胴型と第２の胴型が積み重ねて凹凸係合により両方の前後と左右の係止を実現することを特徴とする、請求項１３に記載の両面兼用コネクタ。
【請求項１５】
前記弾性係止部材は間隔をおいて平行に設置された２つの弾性係止ヘッドを含み、２つの弾性係止ヘッドの後部は係止部材ベースにより一体化され、対応する前記第２の胴型に係止部材溝がそれぞれ開設され、前記弾性係止ヘッドが前記係止部材溝に収容され、且つ弾性係止ヘッドの前端は係止部材溝とハウジングが対応して開設されたインタフェースから外へ延出することを特徴とする、請求項１３に記載の両面兼用コネクタ。
【請求項１６】
前記第１の胴型の前部裏面に第２の端子の前端接続部の動きを収容するためのずれ溝が設けられ、前記ずれ溝は、コネクタが携帯電話のデータインタフェースに挿入した後に第２の端子が圧力を受けてずれ溝内にずれるように、第２の端子の前端に正対することを特徴とする、請求項１３に記載の多機能両面兼用コネクタ。
【請求項１７】
前記ハウジングは、完全に包囲する構造又は前後に開口する円筒状構造であり、端子部材を囲んで固定し、前記ハウジングの前部に第１のインタフェースが設けられ、前端面に第２のインタフェースが設けられ、後端面に第３のインタフェースが設けられ、前記第１のインタフェースに第１の端子の前端接続部が設けられ、前記第２のインタフェースが第２の端子の前端接続部に対応し、前記第１の端子と第２の端子の後端接続部は第３のインタフェースから後方へ延出することを特徴とする、請求項１に記載の多機能両面兼用コネクタ。
【請求項１８】
第２のインタフェースに対応する端子部材には端子の嵌合力を増加させるための挿し抜き緩み止め部材が設けられていることを特徴とする、請求項１７に記載の両面兼用コネクタ。
【請求項１９】
前記端子部材の前部と端子部材の後部にストッパー部材がそれぞれ設けられ、ハウジングを係止することを特徴とする、請求項１７に記載の両面兼用コネクタ。
【請求項２０】
前記ハウジング又は／及び端子部材の前端両側にデータインタフェース形状を係合する円弧形の壁面が設けられ、
前記ハウジング両側の縦方向に沿って別のデータインタフェース形状を係合する傾斜面が設けられていることを特徴とする、請求項１に記載の両面兼用コネクタ。
【考案の詳細な説明】
【技術分野】
【０００１】
本実用新案は携帯電話の付属品技術分野に属し、コネクタに関し、特に両面兼用コネクタに関する。
【背景技術】
【０００２】
現在、Ｉ／Ｏコネクタは携帯電話等の電子装置に用いる重要な通信接続の１つであるため、電源と信号の二つの部分の接続を含む。長い間では、携帯電話、フラットパネル等の製造業者が独自に研究と開発を行い、異なる基準を設定するため、従来の携帯電話、フラットパネルの製品が準拠する基準も異なる。データケーブルのインタフェースは様々であり、一般的にはアップル製品に専用するデータインタフェース及びアンドロイドシステム製品に用いるデータインタフェースに分けられ、多くのメーカーはこのようなインタフェースを採用し、対応するコネクタも様々であり、これらのコネクタは共用できないため、使用者は使用しにくく、異なるデータに異なるコネクタをそれぞれ配置しなければならない。
【考案の概要】
【考案が解決しようとする課題】
【０００３】
本実用新案の解決しようとする技術課題は、従来技術の欠陥に対して、使用しやすく、同時に異なるタイプのデータインタフェースと互換性があり、従来のさまざまな携帯電話等の電子装置のインタフェースに直接係合するコネクタを提供することである。
【０００４】
本実用新案において、その技術課題を解決するための技術的解決手段は以下のとおりである。
【０００５】
端子部材とハウジングを含む両面兼用コネクタであって、前記端子部材は、分離して設置されて異なるデータインタフェースのタイプに適応する第１の端子と第２の端子を含み、第１の端子と第２の端子により異なるタイプのデータインタフェースの接続をそれぞれ実現し、
前記ハウジングは、端子部材の外部に緊合して嵌着され、端子部材を係止する。
【０００６】
好ましくは、前記コネクタは、前記端子部材の後部に固定され、端子部材とハウジングとを一体化するように固定して接続する後部ベースをさらに含み、且つ端子部材の後端は後部ベースの後部から延出する。
【０００７】
好ましくは、前記コネクタは、端子部材に挿着され、移動を防止するために端子部材によって前記後部ベースを係止する弾性係止部材をさらに含み、且つ前記弾性係止部材の前部が端子部材とハウジングの側面から外へ延出する。
【０００８】
好ましくは、前記後部ベースに前後に貫通する貫通溝が設けられ、前記貫通溝の形状は端子部材後部の形状と一致して嵌合し、
前記ハウジングの前端は端子部材の前端と位置合わせし、又は端子部材の前端はハウジングの前端をわずかに超過し、ハウジングは前記端子部材の前部と後部ベースとの間に当接し、又は後部ベースが前記ハウジング、端子部材を一体化するように固定して接続する。
【０００９】
好ましくは、前記貫通溝の内壁、端子部材の後部に係止溝と係止ヘッドがそれぞれ設けられ、前記係止溝と係止ヘッドが係着した後に前記後部ベースと端子部材との間での離脱を制限する。
【００１０】
好ましくは、前記弾性係止部材の中部又は後部に押圧弾性シートが設けられ、前記押圧弾性シートは、弾性係止部材の後向きの動きを防止するために、後部ベースに設置された受圧溝に押圧する。
【００１１】
好ましくは、前記ハウジング又は／及び端子部材にコネクタ嵌合の脱落を防止するための脱落防止機構が設けられている。
【００１２】
好ましくは、前記第１の端子はＬｉｇｈｔｎｉｎｇデータインタフェース端子であり、第２の端子はＭｉｃｒｏ−ＵＳＢインタフェース端子であり、前記端子部材は２つの側面からＬｉｇｈｔｎｉｎｇデータインタフェース、Ｍｉｃｒｏ−ＵＳＢインタフェースの接続をそれぞれ実現し、
好ましくは、前記後部ベースは前記端子部材の後部に係着して両方の固定接続を実現し、前記ハウジングは、ハウジングの縦方向に沿う動きを防止するために、端子部材の前端と後部ベースとの間に挟持され、
好ましくは、前記弾性係止部材は、端子部材の後部から前方へ端子部材に挿着し、ハウジングにその横方向の動きが制限され、前記弾性係止部材の前端の弾性係止ヘッドはＭｉｃｒｏ−ＵＳＢインタフェースの片側の端子部材から外へ延出し、前記弾性係止部材は、その縦方向の動きを防止するために、縦方向において端子部材と前記後部ベースとの間で係止する。
【００１３】
好ましくは、前記端子部材は、Ｌｉｇｈｔｎｉｎｇデータインタフェースを有する第１の端子部材、Ｍｉｃｒｏ−ＵＳＢインタフェースを有する第２の端子部材を含み、第１の端子部材と第２の端子部材は積み重ね、且つ凹凸係合により両方の前後と左右の係止を実現する。
【００１４】
好ましくは、前記第２の端子部材に収容溝が設けられ、前記第１の端子部材が収容溝に嵌合され、前記収容溝の後部に開口を有し、前記第１の端子部材の後部が収容溝の開口部から後方へ延出し、前記収容溝の両側の壁面に位置決め溝がそれぞれ設けられ、対応する第１の端子部材の両側に位置決め部材が設けられ、前記位置決め部材が位置決め溝に挿入して第１の端子部材の縦方向の動きを制限する。
【００１５】
好ましくは、前記弾性係止部材は間隔をおいて平行に設置された２つの弾性係止ヘッドを含み、２つの弾性係止ヘッドの後部は係止部材ベースにより一体化され、対応する前記第２の端子部材に係止部材溝がそれぞれ開設され、前記弾性係止ヘッドが前記係止部材溝に収容され、且つ弾性係止ヘッドの前端は係止部材溝とハウジングが対応して開設されたインタフェースから外へ延出する。
【００１６】
好ましくは、前記後部ベースに貫通溝が設けられ、貫通溝の内壁面にストッパー溝が開設され、前記端子部材の前端にストッパーが設けられ、前記ハウジングの前端がストッパーに受圧し、ハウジングの後端がストッパー部材により前記ストッパー溝内に押圧する。
【００１７】
好ましくは、前記端子部材はさらに胴型を含み、前記第１の端子、第２の端子が胴型により固定して分離し、それぞれ独立して端子の接続を実現し、前記第１の端子の前端接続部、第２の端子の前端接続部はいずれも胴型の前部に設置されている。
【００１８】
好ましくは、前記胴型は第１の端子を固定するための第１の胴型及び第２の端子を固定するための第２の胴型を含み、第１の胴型と第２の胴型が積み重ねて凹凸係合により両方の前後と左右の係止を実現する。
【００１９】
好ましくは、前記弾性係止部材は間隔をおいて平行に設置された２つの弾性係止ヘッドを含み、２つの弾性係止ヘッドの後部は係止部材ベースにより一体化され、対応する前記第２の胴型に係止部材溝がそれぞれ開設され、前記弾性係止ヘッドが前記係止部材溝に収容され、且つ弾性係止ヘッドの前端は係止部材溝とハウジングが対応して開設されたインタフェースから外へ延出する。
【００２０】
好ましくは、前記第１の胴型の前部裏面に第２の端子の前端接続部の動きを収容するためのずれ溝が設けられ、前記ずれ溝は、コネクタが携帯電話のデータインタフェースに挿入した後に第２の端子が圧力を受けてずれ溝内にずれるように、第２の端子の前端に正対する。
【００２１】
好ましくは、前記ハウジングは、完全に包囲する構造又は前後に開口する円筒状構造であり、端子部材を囲んで固定し、前記ハウジングの前部に第１のインタフェースが設けられ、前端面に第２のインタフェースが設けられ、後端面に第３のインタフェースが設けられ、前記第１のインタフェースに第１の端子の前端接続部が設けられ、前記第２のインタフェースが第２の端子の前端接続部に対応し、前記第１の端子と第２の端子の後端接続部は第３のインタフェースから後方へ延出する。
【００２２】
好ましくは、第２のインタフェースに対応する端子部材に端子の嵌合力を増加させるための挿し抜き緩み止め部材が設けられている。
【００２３】
好ましくは、前記端子部材の前部と端子部材の後部にストッパー部材がそれぞれ設けられ、ハウジングを係止する。
【００２４】
好ましくは、前記ハウジング又は／及び端子部材の前端両側にデータインタフェース形状を係合する円弧形の壁面が設けられ、前記ハウジング両側の縦方向に沿って別のデータインタフェース形状を係合する傾斜面が設けられている。
【考案の効果】
【００２５】
本実用新案において、両面の端子部材を使用し、該端子部材の両面は異なるタイプのデータインタフェースの接続機能をそれぞれ実現し、このようなコネクタは、同時にアップル携帯電話及びその他のアンドロイドシステムの携帯電話と互換性があり、使用する時に対応する異なるデータインタフェースを携帯電話におけるデータインタフェースにそれぞれ嵌合するだけでよく、非常に便利であり、携帯電話の使用者は別のものを選択する必要なく、一つのコネクタで携帯電話の充電及びデータの伝送のあらゆる機能を解決する。
【図面の簡単な説明】
【００２６】
以下、図面及び実施例に合わせて本実用新案をさらに説明する。図面において、
【図１】本実用新案の実施例１の構造概略図である。
【図２】本実用新案の実施例１の全体を見上げる構造概略図である。
【図３】本実用新案の実施例１の構造分解図である。
【図４】本実用新案の実施例１の別の方向の構造分解図である。
【図５】本実用新案の実施例１の平面図である。
【図６】図５におけるＡ−Ａ断面図である。
【図７】本実用新案の実施例２の構造概略図である。
【図８】本実用新案の実施例２の構造分解図である。
【図９ａ】本実用新案の実施例２の別の方向の構造分解図である。
【図９ｂ】本実用新案の実施例２の別の実施形態の構造分解図である。
【図１０】本実用新案の実施例２の平面図である。
【図１１】図１０におけるＢ−Ｂ断面図である。
【図１２】本実用新案の実施例３の構造概略図である。
【図１３】本実用新案の実施例３の別の方向の構造概略図である。
【図１４】本実用新案の実施例３の構造分解図である。
【図１５】本実用新案の実施例３の別の方向の構造分解図である。
【図１６】本実用新案の実施例４の構造概略図である。
【図１７】本実用新案の実施例４の構造分解図である。
【図１８】本実用新案の実施例４の別の方向の構造分解図である。
【図１９】本実用新案の実施例５の構造概略図である。
【図２０】本実用新案の実施例５の構造分解図である。
【図２１】本実用新案の実施例５の別の方向の構造分解図である。
【考案を実施するための形態】
【００２７】
本実用新案の技術的特徴、目的及び効果をより明確に理解するために、図面を参照しながら本実用新案の具体的な実施形態を詳細に説明する。
【００２８】
図１〜２１に示すように、両面兼用コネクタであって、基本構造は端子部材１、ハウジング２を含む。端子部材１は、分離して設置されて異なるデータインタフェースのタイプに適応する第１の端子と第２の端子を含み、第１の端子と第２の端子により異なるタイプのデータインタフェースの接続をそれぞれ実現する。ハウジング２は、端子部材１の外部に緊合して嵌着され、端子部材１を係止する。端子部材１、ハウジング２は基本構造であり、後部ベース、弾性係止部材は付加構造又は好ましい構造である。また、脱落防止機構、挿し抜き緩み止め部材も選択可能な構造であり、選択してもよく、選択しなくてもよい。以下、異なる実施例に基づいて詳細に説明する。
【実施例】
【００２９】
実施例１、図１〜６に示すように、両面兼用コネクタは端子部材１、ハウジング２、後部ベース３及び弾性係止部材４を含む。端子部材１は２つの側面から異なるタイプのデータインタフェースの接続をそれぞれ実現し、本実施例において、異なるタイプのデータインタフェースはＬｉｇｈｔｎｉｎｇデータインタフェース、Ｍｉｃｒｏ〜ＵＳＢインタフェースである。ハウジング２は端子部材１の外部に緊合して嵌着され、横方向において端子部材１を係止する。後部ベース３は端子部材１の後部に係着して固定して接続される。ハウジング２は、ハウジング２の縦方向の動きを防止するために、端子部材１の前部と後部ベース３との間に挟持される。弾性係止部材４は、端子部材１の後部から前方へ端子部材１に挿着し、弾性係止部材４の前端の弾性係止ヘッド４１はＭｉｃｒｏ−ＵＳＢインタフェースの片側の端子部材１から外へ延出する。弾性係止部材４は、その縦方向の動きを防止するために、端子部材１により後部ベース３を係止する。
【００３０】
本実用新案は両面インタフェースの端子部材１を採用し、第１の端子はＬｉｇｈｔｎｉｎｇデータインタフェース端子１１１であり、第２の端子はＭｉｃｒｏ−ＵＳＢインタフェース端子１２１であり、Ｌｉｇｈｔｎｉｎｇデータインタフェース、Ｍｉｃｒｏ−ＵＳＢインタフェースに対応する異なる携帯電話を同時に満たす。図４、５に示すように、端子部材１はＬｉｇｈｔｎｉｎｇデータインタフェース端子１１１、Ｍｉｃｒｏ−ＵＳＢインタフェース端子１２１、及び各端子を固定して分離するためのプラスチック製キャップを含み、Ｌｉｇｈｔｎｉｎｇデータインタフェース端子１１１、Ｍｉｃｒｏ−ＵＳＢインタフェース端子１２１に対応するプラスチック製キャップは、一体式構造であってもよく、分解式構造であってもよい。一体式構造は、Ｌｉｇｈｔｎｉｎｇデータインタフェース端子１１１、Ｍｉｃｒｏ−ＵＳＢインタフェース端子１２１が１つのプラスチック製キャップに同時に装着されるものであり、分解式構造は、Ｌｉｇｈｔｎｉｎｇデータインタフェース端子１１１、Ｍｉｃｒｏ−ＵＳＢインタフェース端子１２１が２つのプラスチック製キャップにそれぞれ装着されるものである。Ｌｉｇｈｔｎｉｎｇデータインタフェース端子１１１、Ｍｉｃｒｏ−ＵＳＢインタフェース端子１２１は、従来技術での端子構造及び形状と同じであり、詳しい説明は省略する。
【００３１】
図１〜４に示すように、本実施例における分解式構造は、具体的には、端子部材１は、Ｌｉｇｈｔｎｉｎｇデータインタフェースを有する第１の端子部材１１、Ｍｉｃｒｏ−ＵＳＢインタフェースを有する第２の端子部材１２を含み、第１の端子部材１１と第２の端子部材１２は積み重ね、且つ凹凸係合により両方の前後と左右の係止を実現する。第１の端子部材１１は、Ｌｉｇｈｔｎｉｎｇデータインタフェース端子１１１と第１の端子のプラスチック製キャップ１１２を含み、第２の端子部材１２はＭｉｃｒｏ−ＵＳＢインタフェース端子１２１と第２の端子のプラスチック製キャップ１２２を含む。Ｌｉｇｈｔｎｉｎｇデータインタフェース端子１１１と第１の端子のプラスチック製キャップ１１２、Ｍｉｃｒｏ−ＵＳＢインタフェース端子１２１と第２の端子のプラスチック製キャップ１２２との間での装着プロセスは従来技術と同じであるため、詳しい説明は省略する。
【００３２】
図３、４に示すように、第２の端子部材１２に収容溝１２３が設けられ、第１の端子部材１１が収容溝１２３に嵌合することによって凹凸係合を実現し、収容溝１２３の後部に開口を有し、第１の端子部材１１の後部が収容溝１２３の開口部から後方へ延出する。収容溝１２３は、具体的には、第２の端子のプラスチック製キャップ１２２に開設され、収容溝１２３は第１の端子部材１１を完全に嵌合する。嵌合後の第１の端子部材１１と第２の端子部材１２は左右の位置限定、前方向きの位置限定が形成されている。
【００３３】
収容溝１２３の両側の壁面に位置決め溝１２４がそれぞれ設けられ、対応する第１の端子部材１１の第１の端子のプラスチック製キャップ１１２の両側に位置決め部材１１４が設けられ、位置決め部材１１４が位置決め溝１２４に挿入して第１の端子部材１１の後向きの動きを制限する。位置決め溝１２４は位置決め部材１１４の形状に係合し、ここで限定せず、両方が係合して位置を限定してよい。本実施例における好ましい位置決め溝１２４は四角形溝であり、位置決め部材１１４は対応して四角形ブロックである。
【００３４】
図１〜４に示すように、ハウジング２は端子部材１の外部に緊合して嵌着され、ハウジング２は金属材料であり、一方ではグランドへの接続を実現し、他方では横方向において端子部材１を係止する。ハウジング２の形状は従来のコネクタ形状と同じであり、従来のコネクタを直接代替することができる。ハウジング２の裏面に弾性係止部材４の延出するインタフェース２１が開設され、ハウジング２の正面にウインドウ２２が開設され、Ｌｉｇｈｔｎｉｎｇデータインタフェース端子１１１の８個のステッチ部１１１ａはウインドウ２２から露出し、携帯電話インタフェースとの電気的接続を実現する。
【００３５】
ハウジング２は、ハウジング２の縦方向に沿う動きを防止するために、端子部材１の前部と後部ベース３との間に係着する。即ち端子部材１の前部である第２の端子のプラスチック製キャップ１２２の前部にストッパー１２２ａが設けられ、ハウジング２の前端がストッパー１２２ａに受圧し、前方向きの位置限定を実現する。本実施例において、収容溝１２３前部の側壁はストッパー１２２ａとし、収容溝１２３を形成するうえにハウジング２の縦方向における位置限定を実現する。後部ベース３の貫通溝３２の内壁面にストッパー溝３１が設けられ、ハウジング２の前端がストッパー１２２ａに受圧し、ハウジング２の後端がストッパー部材２３によりストッパー溝３１内に押圧される。
【００３６】
図１〜４に示すように、弾性係止部材４は間隔をおいて平行に設置された２つの弾性係止ヘッド４１を含み、弾性係止ヘッド４１の形状、位置及び作用は、従来の携帯電話のインタフェースとの共用を実現するために、従来技術のＭｉｃｒｏ−ＵＳＢインタフェースにおける弾性係止ヘッド４１と同である。２つの弾性係止ヘッド４１の後部が係止部材ベース４２により一体化される。
【００３７】
対応する第２の端子部材１２の側面に係止部材溝１２５がそれぞれ開設され、係止部材溝１２５が第２の端子部材１２の縦方向に沿って設置され、具体的には第２の端子のプラスチック製キャップ１２２の壁面において縦方向に沿って設置され、係止部材溝１２５も後方に開口を有する３方向から包囲する構造であり、後方の開口は、開口部から前方へ弾性係止部材４を係止部材溝１２５に押し込んで装着するのに用いられ、弾性係止ヘッド４１が係止部材溝１２５に収容され、弾性係止ヘッド４１の前端は、係止部材溝１２５とハウジング２が対応して開設されたインタフェース２１から外へ延出し、端子部材１、ハウジング２、弾性係止部材４が装着された後、弾性係止部材４は後向きを除き、その他の５方向において係止される。
【００３８】
ハウジング２、弾性係止部材４の後向きの固定は後部ベース３により実現する。ハウジング２の正面と裏面にストッパー部材２３がそれぞれ設けられ、対応する後部ベース３にストッパー溝３１が設置され、ストッパー部材２３が後部ベース３におけるストッパー溝３１に受圧してハウジング２の後向きの位置を限定し、ストッパー溝３１の位置は後部ベース３の外壁面、前端面及び後部ベース３内壁であってもよい。ストッパー部材２３は第１のストッパー部材２３１と第２のストッパー部材２３２を含み、対応する後部ベース３に第１のストッパー溝３１１と第２のストッパー溝３１２が設置されている。ハウジング２の正面後端が後方へ延出して第１のストッパー部材２３１が形成され、好ましくは、第１のストッパー部材２３１がハウジング２の後端中心に設置され、第２のストッパー部材２３２がハウジング２の裏面に設置され、第２のストッパー部材２３２はハウジング２の後端から外へ折り返す折返し辺であり、折返し辺は１個又は複数設置してもよく、上記第１のストッパー部材２３１と第２のストッパー部材２３２に対応し、第１のストッパー溝３１１と第２のストッパー溝３１２が後部ベース３の前端の貫通溝３２の内壁面に設置されている。
【００３９】
図４に示すように、弾性係止部材４の後向きの位置限定は、弾性係止部材４の中部又は後部に設けられた押圧弾性シート４３が後部ベース３に受圧されることにより実現し、押圧弾性シート４３は、弾性係止部材４の後向きの動きを防止するために、後部ベース３に設置された受圧溝３３内に押圧する。受圧溝３３は後部ベース３の外壁面、前端面及び後部ベース３内壁に設置してよい。
【００４０】
後部ベース３には前後に貫通する貫通溝３２が設けられ、貫通溝３２の形状は端子部材１の後部の形状に係合して嵌合され、ハウジング２が端子部材１の前端と後部ベース３との間に押圧する。
【００４１】
図３〜６に示すように、端子部材１と後部ベース３との間での貫通溝３２の内壁を固定するために、端子部材１の後部に係止溝１２６と係止ヘッド３２６がそれぞれ設けられ、係止溝１２６が係止ヘッド３２６に係着した後に後部ベース３と端子部材１との間の離脱を制限する。係止溝が貫通溝３２の内壁に設けられ、係止ヘッドが端子部材１の後部の外壁面に対応して設置され、又は係止ヘッド３２６が貫通溝３２の内壁に設置され、係止溝１２６が端子部材１の後部の外壁面に対応して設置され、設置する位置を限定せず、両方が互いに係着してよい。本実施例において、好ましくは、係止溝１２６が端子部材１即ち第２の端子のプラスチック製キャップ１２２の両側に設置され、係止ヘッド３２６が貫通溝３２の両側の内壁面に設置されている。係止ヘッド３２６及び係止溝１２６の形状を限定せず、係着した後に自由に離脱しない如何なる形状であってもよく、好ましくは、後部ベース３が後進して分離できないように、係止溝１２６と係止ヘッド３２６との間で掛け止めが形成されている。
【００４２】
図３〜６に示すように、弾性係止部材４の装着は後部ベース３から開始し、対応する貫通溝３２にも係止部材溝１２５に対応する後部ベース溝３２５が設けられ、後部ベース溝３２５は係止部材溝１２５に対応して連通し、弾性係止部材４の前方へ推進する溝が形成されている。弾性係止部材４の固定に対して、好ましくは受圧溝３３が貫通溝３２の前部の内壁面に設けられ、押圧弾性シート４３の前部が後部ベース３の方向へ傾斜し、弾性係止部材４が端子部材１に装着された後、押圧弾性シート４３は、弾性係止部材４の後進を防止するために、受圧溝３３内に受圧する。
【００４３】
ハウジング２又は／及び端子部材１の前端の両側にデータインタフェース形状を係合する円弧形壁面が設けられ、該構造はアップル製品のデータインタフェース形状に適応する。ハウジング２の両側は縦方向に沿って別のデータインタフェース形状を係合する傾斜面が設けられ、アンドロイドシステム製品のデータインタフェース形状に適応する。
【００４４】
実施例２、図７〜１１に示されたのは第２の実施形態であり、端子部材１、ハウジング２、後部ベース３及び弾性係止部材４を含む。端子部材１は胴型１００、第１の端子１１１、第２の端子１２１を含み、第１の端子１１１、第２の端子１２１は胴型１００により固定して分離し、それぞれ独立して端子の接続を実現する。第１の端子１１１の前端接続部１１１ａ、第２の端子１２１の前端接続部１２１ａはいずれも胴型１００の前部に位置する。第１の端子１１１、第２の端子１２１はそれぞれ２種類の異なるタイプのデータインタフェースの端子であり、それぞれアップル製品に用いる接続端子、アンドロイドシステム製品に用いる接続端子であり、例えば第１の端子１１１はＬｉｇｈｔｎｉｎｇデータインタフェース等であり、第２の端子１２１はＭｉｃｒｏ−ＵＳＢインタフェース等であり、データインタフェースが常に更新されたうえで、この２つの端子はいずれもタイプの異なる上記データインタフェースにそれぞれ適用する。
【００４５】
好ましくは、第１の端子１１１の前端接続部１１１ａに対応するハウジング２に取付口２２が開設され、第１の端子１１１の前端接続部１１１ａが取付口２２に延出し、胴型１００の前端の折り取りを防止するために、端子部材１の前端がハウジング２の前端と位置合わせ、又は端子部材１の前端がハウジング２の前端をわずかに超過する。第２の端子１２１の前端接続部１２１ａは胴型１００とハウジング２に囲まれた空間に位置し、端子部材１はそれぞれ両面から独立してＬｉｇｈｔｎｉｎｇデータインタフェース、Ｍｉｃｒｏ−ＵＳＢインタフェースの接続を実現する。ハウジング２が端子部材１の外部に嵌着し、横方向において端子部材１を係止する。
【００４６】
弾性係止部材４は端子部材１の後部から前方へ端子部材１に挿着し、ハウジング２によりその横方向の動きが制限され、弾性係止部材４の前端の弾性係止ヘッド４１は第２の端子１２１の片側の端子部材１とハウジング２の側面から外へ延出する。弾性係止部材４の構造は実施例１と同じであり、ここで詳しい説明は省略する。
【００４７】
対応する第１の端子１１１、第２の端子１２１の胴型１００は一体式構造であってもよく、分解式構造であってもよい。一体式構造は、第１の端子１１１、第２の端子１２１が１つの胴型１００上に同時に装着されるものであり、分解式構造は、第１の端子１１１、第２の端子１２１が２つの胴型１００にそれぞれ装着されるものである。本実施例の好ましい端子部材１は、第１の端子１１１を有する第１の胴型１０１、第２の端子１２１を有する第２の胴型１０２を含み、第１の胴型１０１と第２の胴型１０２が積み重ね、且つ凹凸係合により両方の前後と左右の係止を実現する。
【００４８】
第１の端子１１１と第１の胴型１０１との間の装着、第２の端子１２１と第２の胴型１０２の装着は、実施例１におけるＬｉｇｈｔｎｉｎｇデータインタフェース端子１１１と第１の端子のプラスチック製キャップ１１２の装着、Ｍｉｃｒｏ−ＵＳＢインタフェース端子１２１と第２の端子のプラスチック製キャップ１２２の装着と同じであるため、詳しい説明は省略する。
【００４９】
図８、９ａ、９ｂに示すように、第１の胴型１０１又は第２の胴型１０２に前後に貫通する係合溝１２３が設けられ、第２の胴型１０２又は第１の胴型１０１が係合溝１２３に嵌合して両方の凹凸係合を実現し、左右方向における位置限定が形成されている。本実施例において、係合溝１２３が第２の胴型１０２に設置され、係合溝１２３の前端開口は第２の端子１２１を設置するのに用いられ、第２の端子１２１の前端接続部１２１ａが対応する下方の第２の胴型１０２に開口１０２ａが設けられ、開口１０２ａにより第２の端子１２１の前端接続部１２１ａが吊り下げ、アンドロイド携帯電話等の電子装置のインタフェースに対応して接続されるのに用いられ、第２の端子１２１の後部が接続ケーブルに接続される。係合溝１２３は第２の端子１２１の後端接続部の延出に用いられ、アンドロイドシステムのデータインタフェースの第２の端子１２１とデータケーブルとの間での電気的接続を実現する。第１の胴型１０１における第１の端子１１１の後端接続部が係合溝１２３から後方へ延出し、第１の端子１１１とデータケーブルとの間での電気的接続を実現するのに用いられる。
【００５０】
係合溝１２３の両側の壁面に位置決め溝１２４がそれぞれ設けられ、対応する第１の胴型１０１又は第２の胴型１０２の両側に位置決め部材１１４が設けられ、位置決め部材１１４が位置決め溝１２４に挿入して第１の胴型１０１の縦方向の動きを制限し、位置決め溝１２４が位置決め部材１１４の形状に係合し、ここで特に限定されない。
【００５１】
ハウジング２と端子部材１の装着は実施例１と同じである。ハウジング２の裏面に第２の胴型１０２に対応して弾性係止部材４の延出するインタフェース２１が開設され、ハウジング２に第１の端子１１１の前端接続部１１１ａを露出するための取付口２２が開設されている。第１の端子１１１の前端接続部１１１ａである８個のステッチ部が取付口２２から露出し、携帯電話等の電子装置のインタフェースとの電気的接続を実現する。第１の端子１１１及びその前端接続部１１１ａの構造は従来技術と同じである。
【００５２】
図７〜９ｂに示すように、第１の胴型１０１の前部裏面に第２の端子１２１の前端接続部１２１ａの動きを収容するためのずれ溝１０１ｂが設けられ、ずれ溝１０１ｂは、コネクタが携帯電話等の電子装置のデータインタフェース挿入した後に第２の端子１２１の前端接続部１２１ａが圧力を受けてずれ溝１０１ｂにずれるように、第２の端子１２１の前端接続部１２１ａに正対する。ずれ溝１０１ｂは横方向の長い溝であり、その長さは第２の端子１２１の前端接続部１２１ａに対応し、その深さは前端接続部１２１ａが圧力を受けた後の移動する距離を満たす。
【００５３】
図９ａ、９ｂに示すように、対応する第２の胴型１０２に係止部材溝１２５がそれぞれ設けられ、係止部材溝１２５が第２の胴型１０２の縦方向に沿って間隔をおいて２つ設置され、２つの弾性係止ヘッド４１が係止部材溝１２５に挿入する。係止部材溝１２５、弾性係止部材４の構造及び装着は実施例１と同じであり、詳しい説明は省略する。
【００５４】
図９ａ〜１０に示すように、弾性係止部材４の後向きの位置限定は弾性係止部材４の中部又は後部に設けられた押圧弾性シート４３と後部ベース３の受圧により実現し、押圧弾性シート４３は、防止弾性係止部材４の後向きの動きを防止するために、後部ベース３に設置された受圧溝３３に押圧し、又は受圧ブロックに押圧する。受圧溝３３は、後部ベース３の外壁面、前端面及び後部ベース３の内壁に設置されてよい。
【００５５】
図９ｂに示すように、ハウジング２又は／及び端子部材１にコネクタ嵌合の脱落を防止するための脱落防止機構がさらに設けられ、脱落防止機構はハウジング２に設置されて外へ突出した脱落防止部材２８又は／及び弾性留め具２９を含む。脱落防止部材２８の構造はボス、リブ、バンプ等である。弾性留め具２９はハウジング２に設置された弾性部材であり、自由状態において、弾性留め具２９はハウジング２の外壁面を超過し、携帯電話等の電子装置が嵌合する時、ハウジング２における弾性留め具２９が携帯電話等の電子装置挿着口の壁面に押し出されてハウジング２内に動き、且つ弾性留め具２９と挿着口の壁面との緊合する接触を保持し、脱落防止を実現する。弾性留め具２９は、片端がハウジング２に固定されて外へ延出する弾性シート、弾性ヘッド等である。
【００５６】
後部ベース３が端子部材１の後部に嵌着して係着され、両方の固定接続を実現し、図１１に示すように、端子部材１と後部ベース３との間の貫通溝３２の内壁を固定するために、端子部材１の後部に係止溝１２６と係止ヘッド３２６がそれぞれ設けられ、係止溝１２６と係止ヘッド３２６の構造は実施例１と同じである。
【００５７】
実施例３、本実施例は第３のコネクタの実施形態である。
【００５８】
図１２〜１５に示すように、両面兼用コネクタは、端子部材１、ハウジング２、後部ベース３及び弾性係止部材４を含む。端子部材１胴型１００、及び異なるタイプのデータインタフェースに用いる第１の端子１１１、第２の端子１２１を含み、第１の端子１１１、第２の端子１２１は胴型１００により固定して分離し、それぞれ独立して端子の接続を実現する。本実用新案における第１の端子１１１、第２の端子１２１は、それぞれ２種類の異なるタイプのデータインタフェースの端子であり、それぞれアップル製品に用いる接続端子、アンドロイドシステム製品に用いる接続端子であり、従来の携帯電話製品において、第１の端子１１１はＬｉｇｈｔｎｉｎｇデータインタフェース等であり、第２の端子１２１はＭｉｃｒｏ−ＵＳＢインタフェース等であるため、データインタフェースが常に更新されたうえで、この２つの端子はいずれも２種類の異なるタイプのデータインタフェースにそれぞれ適応する。
【００５９】
ハウジング２が端子部材１の外部に嵌着され、端子部材１を係止し、好ましくは、ハウジング２が端子部材１の外部に緊合して嵌着され、横方向において端子部材１を係止する。ハウジングは完全に包囲する一体式構造であり、端子部材１、弾性係止部材４を囲んで固定し、端子部材１のみに対応して通信接続に用いる端子インタフェースが設置されている。
ハウジング２の固定は、一方では端子部材１との緊合により実現してもよく、他方ではハウジング２の縦方向に沿う動きを防止するためにハウジング２の後部が後部ベース３に挟持されることにより実現してもよい。
【００６０】
弾性係止部材４の一部が端子部材１に嵌め込まれ、且つ弾性係止部材４の前端が端子部材１とハウジングの側面から外へ延出し、弾性係止部材４の後部は、弾性係止部材４の動きを防止するために、端子部材１、ハウジング２により係止される。
【００６１】
図１２〜１５に示すように、端子部材１は、アップル携帯電話等の電子装置に適合する第１の端子１１１、アンドロイドシステム携帯電話等の電子装置に適合する第２の端子１２１、及び各端子を固定して分離するための胴型１００を含み、第１の端子１１１の前端接続部１１１ａ、第２の端子１２１の前端接続部１２１ａはいずれも胴型１００の前端に位置する。
【００６２】
対応する第１の端子１１１、第２の端子１２１の胴型１００は一体式構造であってもよく、分解式構造であってもよい。一体式構造は第１の端子１１１、第２の端子１２１が１つの胴型１００に同時に装着されるものであり、分解式構造は第１の端子１１１、第２の端子１２１が２つの胴型にそれぞれ装着されるものである。第１の端子１１１、第２の端子１２１は従来技術における２種類の端子構造及び形状と同じであり、第１の端子１１１、第２の端子１２１について詳しい説明は省略する。
【００６３】
図１２〜１５に示すように、端子部材１は、第１の端子１１１を有する第１の胴型１０１、第２の端子１２１を有する第２の胴型１０２を含み、第１の胴型１０１と第２の胴型１０２が積み重ねる。ハウジング２は完全に包囲する一体式構造であり、端子部材１、弾性係止部材４を囲んで固定し、端子部材１のみに対応して通信接続に用いる端子インタフェースが設けられ、端子のインタフェースはハウジング２の正面に設置された第１のインタフェース２３とハウジング２の前端に設置された第２のインタフェース２２を含み、第１の端子１１１の前端接続部１１１ａが第１のインタフェース２３の中に設置され、第２のインタフェース２２が第２の端子１２１の前端接続部１２１ａに対応する。ハウジング２は、第１の胴型１０１と第２の胴型１０２を囲んで固定することを実現するために、ハウジング２の形状が第１の胴型１０１と第２の胴型１０２の四周壁面の形状に係合し、且つインタフェース形状を変更せず、直接用いるように、ハウジング２は従来のコネクタの外形と同じである。ハウジング２の裏面には第２の胴型１０２に対応して弾性係止部材４の延出するインタフェース２１が開設されている。
【００６４】
コネクタと携帯電話等の電子装置との嵌合の安定性を保証するために、ハウジング２にコネクタ嵌合の脱落を防止するための脱落防止機構がさらに設けられ、脱落防止機構はハウジング２に設置されて外へ突出した脱落防止部材２８を含む。脱落防止部材２８の構造は一般的には様々な外へ突出したボス、リブ、バンプ等であり、設置される数は必要に応じて、複数の配列に設置されてもよく、１個又は２個設置されてもよい。脱落防止部材２８は非弾性構造であり、携帯電話等の電子装置挿着口の壁面に緊合して又はわずかに変形して挿入し、このようにコネクタと携帯電話等の電子装置との嵌合の堅牢性を強化する。脱落防止部材２８の設置する位置を限定せず、ハウジング２の四周に設置してもよく、図１２〜１５に示すように、好ましくは、ハウジング２の左右両側の壁面に設置してもよい。
【００６５】
図１５に示すように、第１の胴型１０１の前部裏面に第２の端子１２１の前端接続部１２１ａの動きを収容するための収容溝１０１ｂが設けられ、第１の胴型１０１と第２の胴型１０２及び第２の端子１２１、第１の端子１１１が装着された後、収容溝１０１ｂは、コネクタが携帯電話等の電子装置データインタフェースに挿入した後に第２の端子１２１の前端接続部１２１ａが圧力を受けて収容溝１０１ｂ内にずれるように、第２の端子１２１の前端接続部１２１ａに正対する。収容溝１０１ｂは横方向の長い溝であり、その長さは第２の端子１２１の前端接続部１２１ａに対応し、その深さは前端接続部１２１ａが圧力を受けた後の移動する距離を満たしてよいが、収容溝１０１ｂを設置した後に胴型１００の強度が低下し、折り取りやすくなるという問題を避けるために、収容溝１０１ｂの溝底部の一定の厚さを保証する必要がある。
【００６６】
図１２〜１５に示すように、好ましくは、弾性係止部材４は間隔をおいて平行に設置された２つの弾性係止ヘッド４１を含み、弾性係止ヘッド４１の形状、位置及び作用は、従来の携帯電話等の電子装置のインタフェースとの共用を実現するために、従来技術のアンドロイドシステム製品のインタフェースにおける弾性係止ヘッド４１と同である。２つの弾性係止ヘッド４１の後部が係止部材ベース４２により一体化され、係止部材ベース４２が弾性係止ヘッド４１の後部に横方向に設置され、主に２つの弾性係止ヘッド４１を接続し、両方を一体化するのに用いられる。
【００６７】
図１５に示すように、第２の胴型１０２の裏面に弾性係止ヘッド４１に対応する係止部材溝１２５がそれぞれ開設され、係止部材溝１２５が第２の胴型１０２の縦方向に沿って間隔を置いて２つ設置され、係止部材溝１２５が第２の胴型１０２の後部から第２の胴型１０２の中部へ延出し、弾性係止ヘッド４１の後部が係止部材溝１２５の中に嵌め込み、弾性係止ヘッド４１の前部が係止部材溝１２５から延出して吊り下げる。弾性係止ヘッド４１の前部は、装着中に弾性係止ヘッド４１がより大きい動きの空間を有し、順調に装着を完了するために吊り下げる。ハウジング２は端子部材１を囲むと同時に、弾性係止部材４に対する係止を実現している。
【００６８】
後部ベース３と端子部材１及びハウジング２との間の接続関係は複数あり、そのうち、１つの方法は、後部ベース３が射出成形により端子部材１とハウジング２の後部に固定して接続され、端子部材１、ハウジング２を一体化するように固定して接続される。外へ突出した凹溝２６は、後部ベース３が射出成形する時、結着力を強化し、後部ベース３とハウジング２との間の離脱を防止することができる。別の方法は実施例１、２と同じである。後部ベース３の貫通溝３２の内壁、端子部材１の後部に係止溝と係止ヘッドがそれぞれ設けられ、係止溝と係止ヘッドが係着した後に後部ベース３と端子部材１との間の離脱を制限する。
【００６９】
実施例４は、本実用新案の第４の実施形態である。
【００７０】
図１６〜１８に示すように、両面兼用コネクタは、端子部材１、ハウジング２を含む。本実施例において後部ベース及びその弾性係止部材が設置されていない。
【００７１】
端子部材１は胴型１００、異なるタイプのデータインタフェースに用いる第１の端子１１１、第２の端子１２１を含み、第１の端子１１１、第２の端子１２１が胴型１００により固定して分離し、それぞれ独立して端子の接続を実現する。第１の端子１１１、第２の端子１２１はそれぞれ２種類の異なるタイプの端子であり、それぞれアップル製品に用いる接続端子、アンドロイドシステム製品に用いる接続端子である。
【００７２】
図１６〜１８に示すように、端子部材１は、アップル携帯電話等の電子装置に適合する第１の端子１１１、アンドロイドシステム携帯電話等の電子装置に適合する第２の端子１２１、及び各端子を固定して分離するための胴型１００を含み、第１の端子１１１の前端接続部１１１ａ、第２の端子１２１の前端接続部１２１ａはいずれも胴型１００の前端に位置する。端子部材１の具体的な構造は実施例３と同じである。端子部材１は、第１の端子１１１を有する第１の胴型１０１、第２の端子１２１を有する第２の胴型１０２を含み、第１の胴型１０１と第２の胴型１０２が積み重ねる。
【００７３】
図１６〜１８に示すように、ハウジング２は端子部材１の外部に緊合して嵌着され、ハウジング２は金属材料であり、一方ではグランドへの接続を実現し、他方では横方向において端子部材１を係止する。ハウジング２は端子部材１と互に嵌着することにより、両方の間の固定を実現する。ハウジング２は完全に包囲する一体式構造であり、端子部材１を囲んで固定し、端子部材１のみに対応して通信接続に用いる端子のインタフェースが設置され、端子のインタフェースはハウジング２の正面に設置された第１のインタフェース２３とハウジング２の前端に設置された第２のインタフェース２２を含み、第１の端子１１１の前端接続部１１１ａが第１のインタフェース２３の中に設置され、第２のインタフェース２２が第２の端子１２１の前端接続部１２１ａに対応する。具体的な構造は実施例３と同じである。
【００７４】
図１６〜１８に示すように、第２のインタフェースに対応する端子部材１には、端子の嵌合力を増加させるための挿し抜き緩み止め部材１１８が設けられている。挿し抜き緩み止め部材１１８は、具体的には、第１の胴型１０１の裏面に設置され、挿し抜き緩み止め部材１１８は、第１の胴型１０１の裏面前端に横方向に設置された傾斜面緩み止めブロック１１８ａ及び第２の端子の間の隙間に対応する挟持部材１１８ｂを含み、第２のインタフェース２２の外から内への空間を徐々に減少させ、携帯電話ベースにおけるデータインタフェースのタングとの間の挿し抜き力を増加させ、接続を安定させるように、傾斜面緩み止めブロック１１８ａの傾斜面が第２のインタフェース２２に向かっている。挟持部材１１８ｂが第２の端子に沿って縦方向において間隔で複数設置し、第２の端子の横方向のずれを減少させ、嵌合後の電気的接続の安定性を保証するために、挟持部材１１８ｂは第２の端子を挟持して固定する。挟持部材１１８ｂは第２のインタフェース２２に向かう傾斜面が同様に設けられ、携帯電話ベースにおけるデータインタフェースのタングに対する押圧、挿し抜き力の増加を実現している。
【００７５】
図１６〜１８に示すように、本実施例では後部ベースが設置されていないため、ハウジングの固定は端子部材により実現する。端子部材の前部と端子部材の後部にストッパー部材がそれぞれ設けられ、ハウジングを挟持して係止し、ハウジング２の縦方向の動きを防止する。端子部材の前部のストッパー部材は第１の胴型の前部に設置されたストッパー部材１０１ａであってもよく、ストッパー部材１０１ａの表面が第１の胴型１０１の表面よりも高いため、第１のインタフェース２３の中に係着されたストッパー部材１０１ａの表面がハウジング２の表面に位置合わせるようになる。端子部材の後部に設置されたストッパー部材１１９は、具体的には、第１の胴型１０１と第２の胴型１０２の後部に設置され、ストッパー部材１１９は１個又は複数設置されてよく、本実施例では第１の胴型１０１と第２の胴型１０２の後部に横方向においてそれぞれ１個設置し、ハウジング２がストッパー部材１０１ａ、ストッパー部材１１９の間に係着するように、端子部材の前部のストッパー部材１０１ａと端子部材１の後部のストッパー部材１１９との間の間隔はハウジング２の長さに係合する。
【００７６】
ハウジング２又は／及び端子部材１の前端両側にデータインタフェース形状を係合する円弧形壁面２５が設けられ、該構造はアップル製品のデータインタフェース形状に適応する。ハウジング２の両側に縦方向に沿って別のデータインタフェース形状を係合する傾斜面２７が設けられ、アンドロイドシステム製品のデータインタフェース形状に適応する。本実施例のハウジング２は完全に包囲する構造であり、ハウジング２に円弧形の壁面２５を設置する。
【００７７】
本実施例では、コネクタと携帯電話等の電子装置との嵌合の安定性を保証するために、弾性係止部材が設置されず、ハウジング２にコネクタ嵌合の脱落を防止するための脱落防止機構が設けられ、脱落防止機構はハウジング２に設置されて外へ突出した脱落防止部材２８を含む。ハウジング２の両側に設置された脱落防止部材２８の具体的な構造は実施例３と同じであり、詳しい説明は省略する。ハウジング２の両側に脱落防止部材２８を設置する以外、またハウジングの裏面に脱落防止部材２８を設置し、さらに傾斜面２７に脱落防止部材２８を設置する。ハウジングの裏面の脱落防止部材２８はボス、リブ等の構造であってもよく、１個又は複数設置してもよい、その形状を限定せず、脱落の防止を実現するだけでよい。
【００７８】
端子部材１のその他の構造は実施例３と同じであり、詳しい説明は省略する。
【００７９】
実施例５、図１９〜２１に示すように、これは両面兼用コネクタの第５の実施形態である。その大部分の構造は実施例４と同じであり、その違いは、本実施例のハウジング２の構造が実施例４と異なり、その他の構造が同じであるため、ここで詳しい説明は省略する。
【００８０】
図１９〜２１に示すように、ハウジング２は前後に開口する円筒状構造であり、端子部材１を囲んで固定し、円筒状構造は、ハウジング２には前後に貫通する開口を有し、ハウジング２の前部に第１のインタフェース２３が設置され、前端面の開口は第２のインタフェース２２であり、後端の開口は第３のインタフェース２６であり、第１のインタフェース２２３の中に第１の端子１１１の前端接続部１１１ａが設置され、第２のインタフェース２２が第２の端子１２１の前端接続部１２１ａに対応し、第１の端子１１１と第２の端子１２１の後端接続部が第３のインタフェース２６から後方へ延出する。
【００８１】
図１９〜２１に示すように、ハウジングが円筒状構造であるため、ハウジング２又は／及び端子部材１の前端両側にデータインタフェース形状を係合する円弧形壁面２５が設けられ、ハウジング２の前端が端子部材１の前端と位置合わせする場合、円弧形壁面２５がハウジング２のみに設置され、ハウジング２の前端が端子部材１の前端よりわずかに短い場合、ハウジング２と端子部材１の前端に円弧形壁面２５が同時に設置される。該構造は、于アップル製品のデータインタフェース形状に適用する。ハウジング２の両側には縦方向に沿って別のデータインタフェース形状を係合する傾斜面２７が設けられ、傾斜面２７はアンドロイドシステム製品のデータインタフェース形状に適応し、傾斜面２７に脱落防止部材２８が設置されている。
【図１】
0003207127.tif 000003
【図２】
0003207127.tif 000004
【図３】
0003207127.tif 000005
【図４】
0003207127.tif 000006
【図５】
0003207127.tif 000007
【図６】
0003207127.tif 000008
【図７】
0003207127.tif 000009
【図８】
0003207127.tif 000010
【図９ａ】
0003207127.tif 000011
【図９ｂ】
0003207127.tif 000012
【図１０】
0003207127.tif 000013
【図１１】
0003207127.tif 000014
【図１２】
0003207127.tif 000015
【図１３】
0003207127.tif 000016
【図１４】
0003207127.tif 000017
【図１５】
0003207127.tif 000018
【図１６】
0003207127.tif 000019
【図１７】
0003207127.tif 000020
【図１８】
0003207127.tif 000021
【図１９】
0003207127.tif 000022
【図２０】
0003207127.tif 000023
【図２１】
0003207127.tif 000024